(57)【要約】【課題】  エンジンに対して容易に設置可能な過給機を提供することを目的とする。【解決手段】  過給機１を、図示せぬエンジンの排気ガス流によって駆動されるタービン羽根車１２を有するタービン２と、タービン２によって駆動されてエンジンに外気を圧送するコンプレッサー３と、タービン２とコンプレッサー３との間に設けられてこれらを支持するケーシング４とを有する構成とする。ケーシング４に、タービン２に隣接させて冷却空気室２１を設ける。冷却空気室２１に、コンプレッサー３と接続されてコンプレッサー３が圧送する外気の一部が送り込まれる冷却空気通路２２を接続する。【選択図】      図１
2005098267.tif 000002
【特許請求の範囲】
【請求項１】
エンジンの排気ガス流によってタービン羽根車が回転駆動されるタービンと、該タービンによって駆動されて前記エンジンに外気を圧送するコンプレッサーと、前記タービン及び前記コンプレッサーを支持するケーシングとを有する排気ターボ式過給機であって、
前記ケーシングには、前記タービンに隣接させて冷却空気室が設けられており、
該冷却空気室には、前記コンプレッサーと接続されて該コンプレッサーが圧送する前記外気の一部が送り込まれる冷却空気通路が接続されていることを特徴とする排気ターボ式過給機。
【請求項２】
前記ケーシングには、前記コンプレッサーと接続されて、該コンプレッサーが供給する外気の一部を前記ケーシングと前記タービン羽根車との間の空間まで導くシール空気通路が設けられており、
該シール空気通路のうちの少なくとも一部が、前記冷却空気通路を構成していることを特徴とする請求項１記載のターボ式過給機。
【請求項３】
前記冷却空気室には、前記ケーシングと前記タービン羽根車との間の空間に通じる吐出口が設けられていることを特徴とする請求項１または２に記載の排気ターボ式過給機。
【発明の詳細な説明】
【技術分野】
【０００１】
本発明は、排気ターボ式過給機に関するものである。
【背景技術】
【０００２】
排気ターボ式過給機は、例えば船舶や自動車、発電機などのエンジンに装着されるものであって、エンジンの燃焼室内に空気を強制的に供給することで、燃焼効率を向上させて、エンジン出力の向上を図るものである。
排気ターボ式過給機（以下「過給機」という。）は、エンジンの排気ガス流によって駆動されるタービンと、このタービンによって駆動されて外気をエンジンに圧送するコンプレッサーと、これらタービン及びコンプレッサーを支持するケーシングとを有している。
タービンは、排気ガス流を受けて回転するタービン羽根車を有しており、コンプレッサーは、回転駆動されることで外気を圧送するコンプレッサー羽根車を有している。これらタービン羽根車とコンプレッサー羽根車とは、回転軸を介して同軸かつ相対回転を規制して接続されている。回転軸は、軸受を介してケーシングに支持されていて、その軸線回りの回転が許容されている。
すなわち、タービン羽根車が回転することで、コンプレッサー羽根車も回転軸回りに回転して、コンプレッサーによる外気の圧送が行われるようになっている。
ここで、軸受には、焼付き防止のために、潤滑油溜め等から潤滑系統を介して潤滑油が供給されている。
【０００３】
タービン羽根車は、略円盤形状をなしており、回転軸に対して、同軸かつ軸線回りの回転を規制して設けられている。タービン羽根車において、コンプレッサーとは反対側を向く面（ケーシングとは反対側を向く面）には、回転中心から径方向外側に向けて延びる羽根が周方向に沿って複数設けられている。このタービン羽根車には、径方向外側から排気ガス流が供給され、羽根に当てられてタービン羽根車の回転に寄与した排気ガス流は、羽根が設けられる面側から軸線方向に排出されるようになっている。
【０００４】
ここで、ケーシングとタービン羽根車との間の空間には、コンプレッサーからシール空気通路を通じて外気が圧送されるようになっている。このようにケーシングとタービン羽根車との間の空間に外気（シール空気）が圧送されることで、この空間の内圧が正圧となる。これにより、タービンからケーシング内への排気ガスの流入が防止されるとともに、排気ガス流からコンプレッサー側に向かうスラスト力を受けるタービン羽根車を押し返して、軸受に加わるスラスト荷重を低減するようになっている。
【０００５】
ここで、エンジンのアイドル運転時や低回転・低負荷運転時等、タービンの回転数が低くコンプレッサーによるエンジンへの外気の圧送量が少ない場合には、エンジンの吸気力によってコンプレッサー内の外気が吸引されてその内圧が負圧となる場合がある。
この場合には、シール空気通路を通じてタービン内の排気ガスがケーシング内に流入してしまったり、軸受に供給された潤滑油がケーシング内に吸い出されてしまうなどの不都合が生じる。
このため、シール空気通路には、コンプレッサー側の内圧が負圧となった場合にシール空気通路をケーシング外に開放して、シール空気通路の内圧を正圧に保つバキュームブレーカが設けられている。
このような構成の過給機は、例えば後記の特許文献１に記載されている。
【０００６】
【特許文献１】特開２００２−７０５６９号公報（段落［０００２］〜［０００４］，及び図１）
【発明の開示】
【発明が解決しようとする課題】
【０００７】
しかし、過給機は、タービンを排気ガス流によって駆動するものであるため、高温の排気ガス流（５００°Ｃ程度）に接するタービンからケーシングに熱が伝わり、ケーシングに設けられる軸受やこの軸受の潤滑を行う潤滑系統等の熱に弱い部材が加熱されてしまう。
これら軸受及び潤滑系統等の熱に弱い部材が過熱してしまうと、回転軸と軸受とが焼き付いてしまうなどの不具合が生じるので、従来は、ケーシング内に水室を設けて、ケーシング外部からこの水室内に冷却水を供給することで、ケーシングの冷却を行い、ケーシングに設けられた熱に弱い部材を保護していた。
しかし、このような水冷構造を採用した場合には、ケーシングには、ケーシング内に冷却水を給水する給水管や使用済みの水を排出する排水管等の管路と、付帯設備とを設ける必要がある。このため、このような水冷構造を採用した過給機は、設置に手間がかかってしまう。
【０００８】
本発明は、このような事情に鑑みてなされたものであって、エンジンに対して容易に設置可能な過給機を提供することを目的とする。
【課題を解決するための手段】
【０００９】
上記課題を解決するために、本発明の過給機は以下の手段を採用する。
すなわち、本発明にかかる過給機は、エンジンの排気ガス流によってタービン羽根車が回転駆動されるタービンと、該タービンによって駆動されて前記エンジンに外気を圧送するコンプレッサーと、前記タービン及び前記コンプレッサーを支持するケーシングとを有する過給機であって、前記ケーシングには、前記タービンに隣接させて冷却空気室が設けられており、該冷却空気室には、前記コンプレッサーと接続されて該コンプレッサーが圧送する前記外気の一部が送り込まれる冷却空気通路が接続されていることを特徴とする。
【００１０】
このように構成される過給機では、ケーシングには、タービンに隣接して冷却空気室が設けられており、この冷却空気室には、コンプレッサーが圧送する外気の一部が、冷却空気通路を通じて送り込まれるようになっている。この外気は、ケーシングにおいてタービンから熱を受ける部分よりも十分に低温であるため、ケーシングにおいて冷却空気室近傍の領域を冷却する冷媒として作用する。
すなわち、ケーシングにおいてタービンから熱を受ける領域が、冷却空気室に送り込まれた外気によって冷却され、ケーシングに設けられる部材、例えば軸受や潤滑系統等の過熱が防止される。
ここで、冷却空気室には、コンプレッサーが稼動している間は常に外気が送り込まれる。すなわち、過給機が稼動している間は常にケーシングの冷却が行われる。
また、ケーシングには、このようにタービンに隣接して冷却空気室が設けられているので、ケーシングにおいてタービンに近い側から他の部分（タービンより離れた部分）への熱伝導による伝熱面積が小さい。すなわち、タービンからの熱がケーシングの他の部材側に伝わりにくいので、空冷でも十分な冷却効果を得ることができる。
ここで、冷却空気通路は、その一部または全体が、ケーシング外に設けた管路によって構成されていてもよいが、ケーシング外に新たに部材を設けずに済むよう、全体がケーシング内に形成された通路によって構成されていることが好ましい。
【００１１】
本発明にかかる過給機は、請求項１に記載の過給機であって、前記ケーシングには、前記コンプレッサーと接続されて、該コンプレッサーが供給する外気の一部を前記ケーシングと前記タービン羽根車との間の空間まで導くシール空気通路が設けられており、該シール空気通路のうちの少なくとも一部が、前記冷却空気通路を構成していることを特徴とする。
【００１２】
このように構成される過給機では、ケーシングとタービン羽根車との間の空間に、コンプレッサーからシール空気通路を通じて外気が圧送されるようになっている。すなわち、ケーシングとタービン羽根車との間の空間には、シール空気が供給される。
そして、冷却空気通路とシール空気通路とは、少なくとも一部を共有しているので、これら通路の構造が単純となり、冷却空気通路とシール空気通路とをそれぞれ独立して設けた場合に比べて、過給機の設計及び製造が容易となる。
【００１３】
本発明にかかる過給機は、請求項１または２に記載の過給機であって、前記冷却空気室には、前記ケーシングと前記タービン羽根車との間の空間に通じる吐出口が設けられていることを特徴とする。
【００１４】
このように構成される過給機では、冷却空気室内に供給された外気は、冷媒として使用されたのちに、吐出口を通じて、ケーシングとタービン羽根車との間の空間に供給される。すなわち、冷却空気室内に供給された外気は、タービンからケーシング内への排ガスの流入の防止と、タービン羽根車に加わるスラスト力を低減させるシール空気としても利用される。
本発明にかかる過給機では、このようにケーシングの冷却に用いられた外気を、シール空気としても利用するので、コンプレッサーから冷却用の空気とシール空気とを別々に取り出す場合に比べて、コンプレッサーから取り出す外気の量が少なくて済む。
これにより、ケーシングの冷却及びケーシングへの排ガスの流入防止を図りながら、コンプレッサーが圧送する外気のうち、エンジンに供給される外気の量の減少を防止して、過給機の性能を維持することができる。
【発明の効果】
【００１５】
このように構成される過給機は、コンプレッサーが圧送する外気の一部を冷媒として用いてケーシングの冷却を行う。
このため、本発明にかかる過給機では、従来の過給機のように外部から冷却水等の冷媒を供給するための配管及び付帯設備が不要となるので、エンジンへの設置が容易である。
また、この過給機は、エンジンへの設置にあたって、配管の取り回しを考慮する必要がないので、エンジンへの設置形態の自由度が高い。
【発明を実施するための最良の形態】
【００１６】
以下に、本発明の一実施形態について、図面を参照して説明する。
本実施形態にかかる過給機１は、図１及び図２（図１の拡大図）に示すように、図示せぬエンジンの排気ガス流によって駆動されるタービン２と、タービン２によって駆動されてエンジンに外気を圧送するコンプレッサー３と、タービン２とコンプレッサー３との間に設けられてこれらを支持するケーシング４とを有している。
ケーシング４には、一端をタービン２側に突出させ、他端をコンプレッサー３側に突出させた状態にして、回転軸６が挿通されている。回転軸６は、ケーシング４に設けられる軸受７によって、軸線回りの回転を可能にして支持されている。また、ケーシング４には、図示せぬ潤滑油溜めから軸受７まで潤滑油を供給する潤滑油供給路８が設けられている。
【００１７】
タービン２は、エンジンの排気系統に接続されてエンジンの排気ガス流の少なくとも一部が供給される排気ガス通路１１と、排気ガス導入路１１内に供給された排気ガス流を受けて回転するタービン羽根車１２とを有している。
タービン羽根車１２は、略円盤形状をなしており、回転軸６のタービン２側の端部に対して、同軸かつ軸線回りの回転を規制して設けられている。
タービン羽根車１２のケーシング４とは反対側を向く面には、回転中心から径方向外側に向けて延びる羽根１２ａが周方向に沿って複数設けられている。
タービン羽根車１２は、ケーシング４に対向する面をケーシング４に近接させた状態で設けられている。図２に示すように、ケーシング４に対向する面の外周縁には、タービン羽根車１２と同心状にして設けられる凹凸からなる凹凸部１２ｂが設けられている。
【００１８】
排気ガス通路１１は、エンジンの排気系統と接続されてタービン羽根車１２の径方向外側を囲むようにして設けられる供給路１１ａと、タービン羽根車１２の羽根１２ａ側に設けられてタービン羽根車１２を通過した排気ガス流を系外、もしくは図示しない排気浄化装置に導く送出路１１ｂとを有している。
すなわち、供給路１１ａからは、タービン羽根車１２に対して径方向外側から排気ガス流が供給され、タービン羽根車１２に供給された排気ガス流は、タービン羽根車１２の羽根１２ａ側に排出されて、送出路１１ｂに流入するようになっている。
【００１９】
コンプレッサー３は、回転駆動されることで外気を径方向外側に送出するコンプレッサー羽根車１６と、コンプレッサー羽根車１６の周囲を囲んでコンプレッサー羽根車１６が送出した外気を圧縮する渦巻き室１７とを有している。
コンプレッサー羽根車１６は、略円盤形状をなしており、回転軸６のコンプレッサー３側の端部に対して、同軸かつ軸線回りの回転を規制して設けられている。
コンプレッサー羽根車１６のケーシング４とは反対側を向く面には、回転中心から径方向外側に向けて延びる羽根１６ａが周方向に沿って複数設けられている。
コンプレッサー羽根車１６は、ケーシング４に対向する面をケーシング４に近接させた状態で設けられている。図２に示すように、ケーシング４に対向する面の外周縁には、コンプレッサー羽根車１６と同心状にして設けられる凹凸からなる凹凸部１６ｂが設けられている。
【００２０】
図３に示すように、ケーシング４において、タービン羽根車１２の凹凸部１２ｂに対向する部位には、凹凸部１２ｂと同心状にして、凹凸部４ａが設けられている。これら凹凸部４ａ，１２ｂは、ケーシング４とタービン羽根車１２との間の空間Ｓを封止するラビリンスフィンを構成している。
同様に、ケーシング４において、コンプレッサー羽根車１６の凹凸部１６ｂに対向する部位には、凹凸部１６ｂと同心状にして、凹凸部４ｂが設けられており、これら凹凸部４ｂ，１６ｂは、ケーシング４とコンプレッサー羽根車１６との間の空間を封止するラビリンスフィンを構成している。
【００２１】
図１及び図２に示すように、ケーシング４には、タービン２に隣接させて冷却空気室２１が設けられている。冷却空気室２１は、図１及び図３（図２のＢ−Ｂ矢視断面図）に示すように、タービン２のタービン羽根車１２に対向する領域のほぼ全域にわたって設けられている。
図４（図１のＡ−Ａ矢視断面図）に示すように、冷却空気室２１には、コンプレッサー３の渦巻き室１７と接続されてコンプレッサー３が圧送する外気の一部が送り込まれる冷却空気通路２２が接続されている。
冷却空気通路２２は、ケーシング４に穿孔された穴によって構成されている。
また、冷却空気室２１には、ケーシング４とタービン羽根車１２との間の空間Ｓに通じる吐出口２３が設けられている。ここで、冷却空気室２１は、冷却空気通路２１から離間した位置で、吐出口２３以外の図示せぬ流路を通じて、ケーシング４外に連通されている。
【００２２】
ここで、冷却空気通路２２には、その内圧が常に正圧に保たれるよう、コンプレッサー３側（上流側）の圧力がタービン２側（下流側）の圧力以下になった場合に冷却空気通路２２をケーシング４外に開放するバキュームブレーカ２４が設けられている。
【００２３】
このように構成される過給機１では、ケーシング４には、タービン２に隣接して冷却空気室２１が設けられており、この冷却空気室２１には、コンプレッサー３が圧送する外気の一部が、冷却空気通路２２を通じて送り込まれるようになっている。
この外気は、ケーシング４においてタービン２から熱を受ける部分よりも十分に低温であるため、ケーシング４において冷却空気室２１近傍の領域を冷却する冷媒として作用する。
すなわち、ケーシング４においてタービン２から熱を受ける領域が、冷却空気室２１に送り込まれた外気によって冷却され、ケーシング４に設けられる部材、例えば軸受７や潤滑系統等の過熱が防止される。
ここで、冷却空気室２１には、コンプレッサーが稼動している間は常に外気が送り込まれる。すなわち、過給機が稼動している間は常にケーシングの冷却が行われる。
【００２４】
また、ケーシング４には、このようにタービン２に隣接して冷却空気室２１が設けられているので、ケーシング４においてタービン２に近い側から他の部分（タービン２より離れた部分）への熱伝導による伝熱面積が小さい。すなわち、タービン２からの熱がケーシング４の他の部材側に伝わりにくいので、空冷でも十分な冷却効果を得ることができる。
【００２５】
このように、本実施形態にかかる過給機１は、コンプレッサー３が圧送する外気の一部を冷媒として用いてケーシング４の冷却を行う構成である。
このため、この過給機１では、従来の過給機のように外部から冷却水等の冷媒を供給するための配管及び付帯設備が不要となるので、エンジンへの設置が容易である。
また、この過給機１は、エンジンへの設置にあたって、配管の取り回しを考慮する必要がないので、エンジンへの設置形態の自由度が高い。
【００２６】
また、冷却空気室２１には、ケーシング４とタービン羽根車１２との間の空間Ｓに通じる吐出口２３が設けられていて、コンプレッサー３から冷却空気通路２２を通じて冷却空気室２１内に供給された外気が、吐出口２３から吐出されるようになっている。
すなわち、冷却空気通路２２、冷却空気室２１、及び吐出口２３は、コンプレッサー３が供給する外気の一部をケーシング４とタービン羽根車１２との間の空間Ｓまで導くシール空気通路の役割も兼ねており、冷却空気室２１内に供給された外気は、冷媒として使用されたのちに、吐出口２３を通じて排出されて、タービン２からケーシング４内への排ガスの流入の防止と、タービン羽根車１２に加わるスラスト力を低減させるシール空気としても利用される。
これにより、冷却空気通路２２とシール空気通路とをそれぞれ独立して設けた場合に比べて、過給機１の設計及び製造が容易となる。
【００２７】
なお、冷却空気室２１には、シール空気として必要な流量以上の外気が供給されるようになっている。そして、冷却空気室２１内に供給された外気のうち、シール空気として使用される以外のものは、図示せぬ流路を通じてケーシング４外に排出されるようになっている。すなわち、冷却空気室２１を流通する外気の流量は、ケーシング４の冷却に十分なだけ確保されている。
【００２８】
また、この過給機１では、ケーシング４の冷却に用いられた外気を、シール空気としても利用するので、コンプレッサー３から冷却用の空気とシール空気とを別々に取り出す場合に比べて、コンプレッサー３から取り出す外気の量が少なくて済む。
これにより、ケーシング４の冷却及びケーシング４への排ガスの流入防止を図りながら、コンプレッサー３が圧送する外気のうち、エンジンに供給される外気の量の減少を防止して、過給機１の性能を維持することができる。
【００２９】
ここで、本実施の形態では、冷却空気通路２２を、ケーシング４に穿孔された穴によって構成した例を示したが、これに限られることなく、冷却空気通路２２の一部または全体が、ケーシング４外に設けた管路によって構成されていてもよい。
【図面の簡単な説明】
【００３０】
【図１】本発明の一実施形態にかかる過給機の構成を示した縦断面図である。
【図２】図１の拡大図である。
【図３】図２のＢ−Ｂ矢視断面図である。
【図４】図１のＡ−Ａ矢視断面図である。
【符号の説明】
【００３１】
１  過給機
２  タービン
３  コンプレッサー
４  ケーシング
１２  タービン羽根車
２１  冷却空気室（シール空気通路）
２２  冷却空気通路（シール空気通路）
２３  吐出口（シール空気通路）
Ｓ  空間
【図１】
2005098267.tif 000003
【図２】
2005098267.tif 000004
【図３】
2005098267.tif 000005
【図４】
2005098267.tif 000006